(57)【要約】      （修正有）【課題】蚊等の不快害虫を忌避する機能を具備し、別途虫除けを準備しなくても作業者が蚊に刺される機会が減少し、快適な作業環境が得られる電動工具を提供する。【解決手段】交流あるいは直流を電源とするモータにより刃具を駆動して作業を行う電動工具において、殺虫および防虫、あるいは殺虫か防虫のいずれかの成分が蒸発して薬効を発揮する特性を有する薬剤を具備すること。【選択図】図１
2005295863.tif 000002
【特許請求の範囲】
【請求項１】
交流あるいは直流を電源とするモータを備えた電動工具において、殺虫および防虫、あるいは殺虫か防虫のいずれかの成分が蒸発して薬効を発揮する特性を有する薬剤を具備したことを特徴とする電動工具。
【請求項２】
前記薬剤は一定の体積を有する吸収体に吸着させて前記電動工具に着脱可能に具備されていることを特徴とする請求項１記載の電動工具。
【請求項３】
前記薬剤を蒸発させる手段として前記電源を使用する発熱体を具備したことを特徴とする請求項１あるいは請求項２記載の電動工具。
【請求項４】
前記薬剤を蒸発させる手段として前記モータの発熱を利用することを特徴とする請求項１あるいは請求項２記載の電動工具。
【請求項５】
前記電動工具にファンを具備し、蒸発した前記薬剤を拡散させる手段として前記ファンにより発生する風力を利用することを特徴とする請求項３あるいは請求項４記載の電動工具。
【請求項６】
前記薬剤は、前記モーターを収納するハウジングまたは該ハウジングに連結される外殻に設けた開口部を通過して拡散することを特徴とする請求項１〜請求項５のいずれか１項記載の電動工具。
【発明の詳細な説明】
【技術分野】
【０００１】
本発明は、交流あるいは直流を電源とするモータを備えた電動工具に関するものである。
【背景技術】
【０００２】
電動工具は様々な使用環境あるいは用途で使用されているが、その中でも園芸工具は屋外で使用される機会が多い。
園芸工具の一例である図９に示す園芸バリカンは、主に地面近くに密生した芝草等を刈り取るのに使用されることが多い。
図１０に示す電気草刈機と称される園芸工具は、屋外に繁茂した雑草や芝草を刈り取る目的で使用され、本体に内蔵されたモーターでナイロンコードを回転させて草を刈り取る。
また、図１１に示す工具は植木バリカンと呼ばれており、植え込みや小枝の剪定に使用されている。
これらの工具は草の成長が著しい時期に使用されることが多いが、当該時期は蚊等の不快害虫も繁殖する時期と重なる。更に、前記園芸工具は草が繁茂している場所で使う工具であり、蚊等の不快害虫が好んで隠れる場所となっている。また、前記園芸工具、特に園芸バリカンや植木バリカンは刈り取り部位と工具を保持する手とが近接しており、蚊に刺される機会が多くなる。
一方、図１２の電気ドリル、あるいは図１３の丸のこ等に代表される電動工具は、住宅の建設に使用されることが多い。建築途上の住宅であれば作業場所の密閉は実用上困難で、また夏場であれば作業現場の室温を下げるため敢えて開放して作業せざるを得ない。夏場、周囲が田園に囲まれた地域では蚊等の不快害虫の発生も多く、開放した作業現場に進入して作業者を刺すことになる。
このような不快感を軽減するため、電源コンセントに直結して薬剤を蒸発させ、蚊等の不快害虫を駆除する器具も発売されている。また、香取線香を収納して身体に下げる用具も発売されている。しかしながら、前述の器具は電源コンセントから離れた場所や開放された場所では効果を発揮しにくく、作業現場を移動するたびに器具を移動させる手間も必要である。屋外では作業範囲が広く、近くに電源コンセントが設置されていない場合もあり、効果は期待できない場合が多い。一方、蚊取り線香を収納する用具も、蚊取り線香への着火、身体への装着あるいは灰の処理等、工具の準備以外に多くの手間を要する。また、建築現場であれば火の使用が制限される機会も多いと思われ、使い勝手に難がある。
【発明の開示】
【発明が解決しようとする課題】
【０００３】
本発明の目的は、前述した薬剤を蒸発させる器具を用いることなく、あるいは蚊取り線香収納用具を身体に装着しなくても蚊等の不快害虫を殺虫あるいは忌避できる電動工具を提供することにある。
【課題を解決するための手段】
【０００４】
上記目的を解決するため、請求項１に係る発明は、交流あるいは直流を電源とするモータにより刃具を駆動して作業を行う電動工具において、殺虫および防虫、あるいは殺虫か防虫のいずれかの効果を有する薬剤を具備した電動工具とする。
また、請求項２に係る発明は、請求項１に記載の電動工具において、
前記薬剤は一定の体積を有する吸着体に吸着させて前記電動工具に着脱可能に具備した電動工具とする。
また、請求項３に係る発明は、請求項１あるいは２に記載の電動工具において、前記薬剤を蒸発させる手段として前記電源を使用する発熱体を具備した電動工具とする。
また、請求項４に係る発明は、請求項１あるいは２に記載の電動工具において、前記薬剤を蒸発させる手段として前記モータの発熱を利用する電動工具とする。
また、請求項５に係る発明は、請求項３あるいは４に記載の電動工具において、該電動工具にファンを具備し、蒸発した前記薬剤を拡散させる手段として前記ファンにより発生する風力を利用する電動工具とする。
また、請求項６に係る発明は、請求項１ないし５に記載の電動工具において、前記薬剤は前記外殻に設けた開口部を通過して拡散する電動工具とする。
【発明の効果】
【０００５】
本発明によれば、電動工具に蚊等の不快害虫を忌避する機能を具備したので、別途虫除けを準備しなくても作業者が蚊に刺される機会が減少し、快適な作業環境が得られる。
【発明を実施するための最良の形態】
【０００６】
次に、本発明電動工具の実施形態につき図面を用いて説明する。以下、電動工具を園芸工具として説明する。
【０００７】
図１に本発明園芸工具の一実施形態を示す展開図を示す。ここで図示したモーター３はマグネットを界磁として直流で駆動される形式であり、コード１０およびスイッチ７を経由した商用電源を基板９に設けた整流回路で直流に変換して電源としている。電源の入り切りはスイッチ７をトリガ８で操作して行う。
モーター３は前記ハウジング１、２で挟持された持板４にビス４ａで固定され、その回転は前記減速ギヤ５ａ、５ｂを経て減速ギヤ５ｂに設けたカム（図示せず）に伝達され、このカムは駆動刃６に設けた長穴６ｃに勘合する。駆動刃６はピン６ｄを中心として固定刃６ａと回動可能に結合されており、モーター３の回転によりピン６ｄを中心として揺動する。これらの部材、すなわちモータ３、持板４、減速ギヤ５ａ、５ｂ、減速ギヤ５ｂに設けたカム（図示せず）で駆動される駆動刃６、スイッチ７、トリガ８および基板９は、図示のように二つ割のハウジング１、２に収納され、ハウジング１、２はビス２ａにより固定されている。 また、固定刃６ａはビス６ｂによりハウジング１、２に固定されている。
以上のように構成された園芸バリカンを草上で駆動すると、前記駆動刃６ｄと固定刃６ａとの間に突き出た草は前記駆動刃６ｄの揺動により固定刃６ａとで挟まれて切断される。 この動作を連続して行うことにより草を刈る。
上記した本発明によれば、図１に示すようにハウジング１、２の両方あるいは片方に設けた収納部１１に殺虫若しくは防虫成分を含む薬剤（以下薬剤とする）を具備することにより、この薬剤が蒸発して園芸バリカンの周囲に薬剤成分が飛散する。このように薬剤成分が園芸バリカンの周囲に飛散すれば作業者の周囲、特に園芸バリカンを保持する作業者の手の近傍に集中することは明らかであり、作業中の殺虫あるいは防虫の効果（以下薬効とする）が期待できる。
また、薬剤を一定の体積を有する、例えば図２に示したような概板状の吸収体２１に吸着させ、かつ収納部１１に適度な押圧力で挿入できるように形成することにより、吸収体２１の着脱が可能になる。このように構成することにより吸収体２１の交換が容易になり、作業途中で薬剤の蒸発が終了しても、予備の吸収体２１を準備しておけば薬効を持続させることができる。
更に、図３に示すように、発熱体３１を収納部１１の内部に具備し、 モーター３の電源と同じ電源をスイッチ７を経由した後発熱体３１に供給することにより、モーター３への通電と同時に発熱体３１にも通電が可能になる。薬剤は発熱体３１と収納部１１とで囲まれる空間１１ａに具備し、発熱体３１への通電に伴い薬剤は加熱され、自然放置に比べて蒸発は活発となり、自然放置より大きな薬効が期待できる。また、吸収体２１を空間１１ａに挿入できる形状としておけば薬剤の交換が容易になり、使い勝手が更に向上する。また、前述のように、発熱体３１は園芸バリカンを使用している時だけ通電されるため、薬剤が無駄に消費されることがなく、経済的である。加熱時のみ成分が蒸発する薬剤を選択しておけば、更に経済性は増加する。  
また、図４に示すように、ハウジング１、２の両方、あるいは片方の一部を抉り、モータ３の外径形状に近接した形状の凹部２ａを形成し、凹部２ａに薬剤を充填すれば、園芸バリカンの使用に伴ってモーター３が発熱し、熱はハウジング１あるいは２を経た後薬剤に伝達され、薬剤の蒸発が加速される。
また、図２に示した吸収体２１の形状を凹部２ａに合わせて図５のように形成すれば、薬剤の充填や交換が容易となり、使い勝手が更に向上する。更に、モーター３は園芸バリカン使用時のみに発熱するため、前述のように加熱時のみ成分が蒸発する薬剤を選択すればより経済的である。
更に、モーター３の内部にモーター３を冷却するためのファン（図示せず）を設け、モーター３の回転に伴い風窓３ａから冷却風が排出される。図６は、園芸バリカンのハウジング２に風窓２ｂを設けた一例であり、風窓２ｂはモーター３の風窓３ａに対向する位置に設けてあり、冷却風が風窓２ｂから排出されるよう構成されている。
モーター３へ通電されると発熱体３１が発熱して薬剤が蒸発するのは前述の通りであり、同時に風窓２ｂから排出された冷却風が蒸発した薬剤を拡散させる。
図７は園芸バリカンのハウジング２の凹部２ａの壁面に風窓２ｃを設けた他の実施形態である。 凹部２ａには図５に示した吸収体５１を挿入し、前述のようにモーター３の発熱により薬剤を蒸発させる。薬剤の成分は風窓２ｃから排出されるモーター３の冷却風により拡散される。前述のいずれの場合も自然蒸発より薬剤成分の拡散範囲が広がると共に濃度も均一になり、作業者周辺の薬効が一段と高まる。
図８はハウジング２の上部に風窓２ｄを設け、モーター３の冷却風が通過できるようハウジング２の内部形状を形成した他の実施形態である。また、ハウジング２の内壁には、吸収体５１を収納する収納部（図示せず）を設け、吸収体５１を保持できるようにしておく。更に吸収体５１の一面はモーター３の外径に接触するように配置する。 このようにして園芸バリカンを使用すると、モーター３の発熱により吸収体５１から蒸発した薬剤は、モーター３の冷却風と共に風窓２ｄから園芸バリカンの周囲に拡散し、作業者の周辺に均一に広がることになる。本実施例に拠れば薬剤を園芸バリカン内部に具備しているため、薬剤が例えば降雨、埃あるいは紫外線等の外部環境の悪影響を受けにくく、薬効の長期残存が期待できる。 本実施例では説明を省略したが、ハウジング１および２を分解しなくても薬剤５１を着脱する開口部を例えばハウジング２に設け、開口部は開閉自在に構成ておくことは言うまでもない。
また、本実施形態では薬剤の蒸発を付勢する手段としてモーター３の発熱で説明したが、別途発熱体３１をハウジング２内部に設けて吸収体５１を接触させても本実施例と同様の効果が得られる。
以上の説明では園芸バリカンを引例として用いたが、本発明は電気草刈機、植木バリカンあるいは芝刈り機といった園芸工具全般に広く応用できる形態である。また、電気ドリルや丸のこといった一般の電動工具にも応用は可能で、本発明の範疇に含まれる。また、吸収体５１の形状は本発明に特有の形状として説明したが、一般に市販されているいわゆる電気式蚊取り器で使用されている吸収体を利用することも可能であり、その主旨を逸脱しない範囲で種々の形状を採用することが可能である。
【図面の簡単な説明】
【０００８】
【図１】本発明電動工具の第一実施形態を示す展開図。
【図２】本発明電動工具の第1の吸収体を示す斜視図。
【図３】本発明電動工具の第２の実施形態を示す展開図。
【図４】本発明電動工具の第３の実施形態を示す展開図。
【図５】本発明電動工具の第２の吸収体を示す斜視図。
【図６】本発明電動工具の第４の実施形態を示す展開図。
【図７】本発明電動工具の第５の実施形態を示す展開図。
【図８】本発明電動工具の第６の実施形態を示す展開図。
【図９】園芸バリカンの一形態を示す斜視図。
【図１０】電気草刈機の一形態を示す斜視図。
【図１１】植木バリカンの一形態を示す斜視図。
【図１２】電気ドリルの一形態を示す斜視図。
【図１３】丸のこの一形態を示す斜視図。
【符号の説明】
【０００９】
１、２はハウジング、３はモーター、２１、５１は吸収体、３１は発熱体、２ｄは開口部である。
【図１】
2005295863.tif 000003
【図２】
2005295863.tif 000004
【図３】
2005295863.tif 000005
【図４】
2005295863.tif 000006
【図５】
2005295863.tif 000007
【図６】
2005295863.tif 000008
【図７】
2005295863.tif 000009
【図８】
2005295863.tif 000010
【図９】
2005295863.tif 000011
【図１０】
2005295863.tif 000012
【図１１】
2005295863.tif 000013
【図１２】
2005295863.tif 000014
【図１３】
2005295863.tif 000015